(57)【要約】【課題】機器のメンテナンス時に、効率よく機器のメンテナンスが行えるキャビネットを提供することにある。【解決手段】本発明のキャビネット（１１）は、ノード（３）が上下方向に複数並べて配置され、上下方向に並ぶ各ノード（３）の幅方向両端が固定される一対の支柱（２）と、前記一対の支柱（２）のそれぞれにノード（３）毎に設けられた一対のＲガイド（５）と、前記一対のＲガイド（５）の間に前後方向にスライド可能に保持され且つ前記Ｒガイド（５）に対して着脱可能である、前記ノード（３）に接続されたケーブルの余剰分を載置するための載置部材（４）とを備える。【選択図】図１
2014194651.tif 000002
【特許請求の範囲】
【請求項１】
ケーブル接続可能な機器が上下方向に複数並べて配置されたキャビネットであって、
上下方向に並ぶ、各機器の幅方向両端が固定される一対の支柱と、
前記一対の支柱のそれぞれに機器毎に設けられた一対の支持部材と、
前記一対の支持部材の間に前後方向にスライド可能に保持され且つ前記支持部材に対して着脱可能である、前記機器に接続されたケーブルの余剰分を載置するための載置部材と、を備えることを特徴とするキャビネット。
【請求項２】
前記載置部材は、前記機器に対向する端部と反対側の端部に形成され、当該載置部材に載置したケーブルが落下するのを防止するための落下防止部材を備えることを特徴とする請求項１に記載のキャビネット。
【請求項３】
前記一対の支持部材のそれぞれは、互いに対向する側とは反対側に湾曲面を有する柱状部材であることを特徴とする請求項１又は２に記載のキャビネット。
【請求項４】
前記一対の支持部材のそれぞれには、それぞれに沿って配置したケーブルが落下するのを防止する落下防止部材が設けられていることを特徴とする請求項１〜３のいずれか１項に記載のキャビネット。
【請求項５】
前記載置部材が前記機器に対して固定位置にあるとき、前記載置部材は、前後方向端部のうち前記機器に近い側が、前記機器の前記載置部材に対向する対向面と所定の距離隔てられるように形成されていることを特徴とする請求項１〜４の何れか１項に記載のキャビネット。
【発明の詳細な説明】
【技術分野】
【０００１】
本発明は、ケーブル接続可能な機器が上下方向に複数並べて配置されたキャビネットに関する。
【背景技術】
【０００２】
スーパーコンピュータ（以下、スパコンと称する）等の計算装置に用いられている複数の情報通信機器は、例えば多段のラックに収容される。この場合、情報通信機器間を各機器に設けたポート同士をケーブルで接続することにより直線的に接続することが多い。また、情報通信機器間では、情報伝達のためのケーブルとして光ケーブルが用いられつつある。光ケーブルは、一般に曲げに弱いため、余長を十分に設けて配線される。
【０００３】
しかしながら、スパコン等の計算装置においては、機器間をつなぐ端末付き光ケーブルの数が多く、適切な線路を考慮せずに敷設することで輻輳し、メンテナンス性を損ねたり、機器の筐体側面及び天井面からの吸排気を妨げたりする等の問題が生じる。しかも、光ケーブルは、余長を十分に設けて配線されるため、接続後に生じるケーブルの余剰分をコンパクトに収容することを考慮する必要がある。
【０００４】
そこで、特許文献１には、余長ケーブル（ケーブルの余剰分）を光通信装置毎に設けられたトレー上に配置することでコンパクトに収容する余長光ケーブル処理構造が開示されている。
【先行技術文献】
【特許文献】
【０００５】
【特許文献１】特開２００２−３２４９８５号公報（２００２年１１月８日公開）
【発明の概要】
【発明が解決しようとする課題】
【０００６】
しかしながら、特許文献１に開示された技術では、例えば、上下トレー間の隙間に手を入れて行う光ケーブル接続作業がやり難い。特に、特許文献１のようにトレー上に支柱が設けられていれば尚更である。
【０００７】
本発明は、前記問題点に鑑みなされたものであって、その目的は、機器への配線作業について作業性の向上するキャビネットを提供することにある。
【課題を解決するための手段】
【０００８】
前記の課題を解決するために、本発明のキャビネットは、ケーブル接続可能な機器が上下方向に複数並べて配置されたキャビネットであって、上下方向に並ぶ各機器の幅方向両端が固定される一対の支柱と、前記一対の支柱のそれぞれに機器毎に設けられた一対の支持部材と、前記一対の支持部材の間に前後方向にスライド可能に保持され且つ前記支持部材に対して着脱可能である、前記機器に接続されたケーブルの余剰分を載置するための載置部材と、を備えることを特徴としている。
【０００９】
前記構成によれば、ケーブルの余剰分を収容するための載置部材が、機器に対して前後方向にスライド可能に設けられ、且つ、機器が取り付けられた支柱に設けられた支持部材から着脱可能に設けられていることで、必要な時に載置部材をキャビネットから取り外すことができる。従って、機器のメンテナンス時においても、所望の載置部材をキャビネットから取り外すことで、載置部材が機器のメンテナンスを邪魔しないので、機器のメンテナンスを効率よく行うことができ、且つ、機器への配線作業について作業性が向上するという効果を奏する。
【００１０】
前記載置部材は、前記機器に対向する端部と反対側の端部に形成され、当該載置部材に載置したケーブルが落下するのを防止するための落下防止部材を備えることが好ましい。
【００１１】
前記構成によれば、余剰分のケーブルを落下させることなく、載置部材に収容できるので、ケーブル落下による不具合を無くすことができる。
【００１２】
前記一対の支持部材のそれぞれは、互いに対向する側とは反対側に湾曲面を有する柱状部材であることが好ましい。
【００１３】
前記構成によれば、一対の支持部材のそれぞれは、互いに対向する側とは反対側に湾曲面を有する柱状部材であることで、載置部材から突出した余剰分のケーブルは支持部材の湾曲面に沿って配線されることになる。このため、ケーブルに余分なストレスをかけることなく、配線することができる。
【００１４】
前記一対の支持部材のそれぞれには、それぞれに沿って配線されたケーブルが落下するのを防止する落下防止部材が設けられていることが好ましい。
【００１５】
前記構成によれば、載置部材に載置されたケーブルが支持部材から落下するのを防止することができるので、ケーブル落下による不具合を確実に無くすことができる。
【００１６】
前記載置部材が前記機器に対して固定位置にあるとき、前記載置部材は、前後方向端部のうち前記機器に近い側が、前記機器の前記載置部材に対向する対向面と所定の距離隔てられるように形成されていることが好ましい。
【００１７】
前記構成によれば、前記所定の距離を機器のケーブル接続用端子の長さ以上に設定することで、載置部材が不要に機器のケーブル接続用端子に接触することがないため、ケーブル接続用端子に接続されたケーブルはストレス無く載置部材に載置されることになる。
【発明の効果】
【００１８】
本発明のキャビネットによれば、機器のメンテナンス時においても、所望の載置部材をキャビネットから取り外すことで、載置部材が機器のメンテナンスを邪魔しないので、機器のメンテナンスを効率よく行うことができ、且つ、機器への配線作業についての作業性が向上するという効果を奏する。
【図面の簡単な説明】
【００１９】
【図１】本発明の実施形態に係るキャビネットの概略構成図である。
【図２】図１に示すキャビネットにおける載置部材とＲガイドとの関係を示す概略構成斜視図である。
【図３】図１に示すキャビネットにおける載置部材の固定状態を示す概略斜視図である。
【図４】（ａ）（ｂ）は、図１に示すキャビネットにおける載置部材の収納位置を説明するための図である。
【発明を実施するための形態】
【００２０】
以下、本発明の実施の形態について、詳細に説明する。
【００２１】
本実施の形態では、本発明のキャビネットを、スーパーコンピュータ（以下、スパコンと称する）を構成している複数の情報通信機器（ノード）を上下方向に並べて配置するために用いられる例について説明する。
【００２２】
〔キャビネット１１の概略〕
図１に示すように、本実施形態に係るスパコン１０１は、ノード（機器）３が上下方向に複数並べて配置されたキャビネット１１を複数個備えた構成となっている。図１では、３つのキャビネット１１を示しており、何れも同じ構成であるので、一つのキャビネット１１について以下に説明する。
【００２３】
前記キャビネット１１には、土台１から立設した手前側の一対の支柱２に、複数のノード３が上下方向に等間隔で取り付けられている。ここで、各ノード３は、幅方向両端で、前記一対の支柱２に固定されている。すなわち、各ノード３は、キャビネット１１内で、Ｚ軸方向に等間隔で配設されている。なお、ノード３が支柱２に取り付けられる間隔は、等間隔であってもよいし、任意に設定した間隔であってもよい。
【００２４】
各ノード３は、図示しないが、ポート間を光ケーブルにより接続されている。なお、光ケーブルは、一般にその接続作業に伴って作業スペースに引き出すため、余長を十分に設けて配線される。すなわち、光ケーブルは、その長さを、接続するポート間の距離よりも十分長く設計して、十分な余剰（余長）を持たせている。
【００２５】
前記ノード３の手前、すなわちＹ軸方向の端子形成面３ａ（図２）に対向する位置には、前記光ケーブルの余剰分を載置するための載置部材４が設けられている。
【００２６】
前記載置部材４は、前記ノード３に対して前後方向（Ｙ軸方向）にスライド可能に設けられ（保持され）、且つ、キャビネット１１から着脱可能に設けられている。具体的には、前記載置部材４は、長手方向の両端で前記支柱２に取り付けられた一対のＲガイド（支持部材）５によって着脱方向、すなわちＹ軸方向のノード３から遠ざかる方向にスライド自在に支持されている。Ｒガイド５の詳細及び載置部材４とＲガイド５との取り付け構造の詳細については後述する。
【００２７】
前記キャビネット１１の最上面には、各ノード３のポートに接続された光ケーブルの余剰部分の重量を分散させるための天板６が配設されている。
【００２８】
〔ノード３、載置部材４、Ｒガイド５の接続構造〕
図２は、ノード３、載置部材４、Ｒガイド５の接続構造の概略を示す図である。
【００２９】
前記ノード３は、端子形成面３ａの長手方向両端部（幅方向両端部）において、支柱２の断面略Ｌ字の側面の一つであるＸ軸方向に平行なノード取り付け面２ａに取り付けられている。
【００３０】
前記端子形成面３ａには、光ケーブルが接続されるポートとしての接続端子３ｂが複数個形成されている。これら接続端子３ｂは、Ｘ軸方向に並設されている。
【００３１】
前記載置部材４は、前記ノード３からの光ケーブルを載置するための略長方形状の載置板４ａと、載置板４ａに載置された光ケーブルが手前に落下するのを防止するための落下防止板（落下防止部材）４ｂと、Ｒガイド５のガイド溝５ａに勘合してスライド可能なガイド部材４ｃとを有している。
【００３２】
前記落下防止板４ｂは、前記載置板４ａの前記機器に対向する端部と反対側の端部で、且つ、ノード３と反対側の端部に略垂直（Ｚ軸方向）に設けられている。なお、落下防止板４ｂは、載置板４ａに載置された光ケーブルの落下防止のために設けられているため、一枚板で構成してもよいし、任意の間隔で隙間のある櫛歯状の部材で形成されてもよい。光ケーブルを落下させないような構成であれば、どのような構成であってもよい。
【００３３】
前記ガイド部材４ｃは、前記載置板４ａの長手方向（Ｘ軸方向）の両端部に設けられ、前記Ｒガイド５のガイド溝５ａにＹ軸方向にスライド可能に勘合される。
【００３４】
前記Ｒガイド５は、前記載置部材４の載置板４ａの長手方向両端部において、当該載置部材４の前記ノード３に対する固定位置と着脱位置との間をスライド可能に載置部材４を支持するようになっている。
【００３５】
また、前記Ｒガイド５は、前記一対の支柱２のそれぞれにノード３毎に設けられている。具体的には、前記Ｒガイド５は、支柱２のＲガイド取り付け面２ｂに取り付けられており、上述のガイド溝５ａ、落下防止部材５ｂ、ネジ穴５ｃを備えている。なお、前記一対のＲガイド５のそれぞれは、互いに対向する側とは反対側に湾曲面を有する柱状部材である。すなわち、Ｒガイド５は、前記載置板４ａの載置面の長手方向の延長線上で所定の曲率を有する曲面となる表面５ｄを有している。すなわち、Ｒガイド５の表面５ｄは、所定の半径のＲ面となっている。
【００３６】
前記ガイド溝５ａは、Ｙ軸方向に沿って延設されており、上述した載置部材４のガイド部材４ｃが勘合して、載置部材４をＹ軸方向にスライド可能に支持するようになっている。
【００３７】
前記落下防止部材５ｂは、Ｒガイド５の表面５ｄからＸ軸方向の外側に向かって少し突出した突起部材であり、当該表面５ｄに沿って配置される光ケーブルが手前に落下するのを防止するようになっている。なお、落下防止部材５ｂの形成位置及び形成個数については特に限定しないが、より確実に光ケーブルの落下を防止するために複数個形成してもよい。なお、図１のように三個のキャビネット１１が左右方向に並んで配設されている状態において、隣り合うキャビネット１１の各々に設けられた、当該隣り合うキャビネット１１の境界部分に向かって突出する落下防止部材５ｂ同士は、接触せずに離間して設けられている。これによっても、互いのキャビネットにおける光ケーブルのキャビネットからの脱落を防止することができる。
【００３８】
ここで、載置部材４とＲガイド５とは、図３に示すように、ガイド部材４ｃのネジ穴４ｄとＲガイド５のネジ穴５ｃを介してネジ７によって固定される。この固定状態において、載置部材４の載置板４ａ表面と、Ｒガイド５の表面５ｄとは、図３に示すように、段差の無い同一面を形成するようになっている。これにより、載置部材４の載置板４ａに載置された光ケーブルは、段差などの影響を受けずに、ストレス無くＲガイド５により下方に導かれる。
【００３９】
〔載置部材４の固定時の奥行き〕
図４（ａ）は、一つのノード３にケーブル８が接続された状態を上方から見た図である。図４（ｂ）は、図４（ａ）において、ＡＡ線矢視端面を示す図である。
【００４０】
前記ノード３は、図４（ａ）に示すように、端子形成面３ａに形成された各接続端子３ｂに接続されたケーブル８は、載置部材４の載置板４ａに沿ってＲガイド５方向に導かれており、図示はしないが、複数のケーブル８のうちの少なくとも一部のケーブルは落下防止板４ｂにガイドされつつＲガイド５方向に導かれている。
【００４１】
ここで、載置部材４は、図４（ｂ）に示すように、各接続端子３ｂに接続されたケーブル８がストレス無く載置できるように、各接続端子３ｂから突出するケーブル８とほぼ平行な状態で載置板４ａの載置面に載置できるようにＲガイド５に固定されている。すなわち、仮に、キャビネット１１の高さ方向に関して、載置板４ａの載置面が、例えば各接続端子３ｂよりも高い位置にあると、各接続端子３ｂに接続されたケーブル８の各接続端子３ｂに近い部分が載置板４ａによって上方に向かって曲げられてケーブルの折れや載置板４ａの載置面の端部によるケーブルの損傷を招く虞がある。しかし、図４（ｂ）に示す本実施形態の構成によれば、キャビネット１１の高さ方向に関して、載置板４ａの載置面は、各接続端子３ｂと同じ高さ、より具体的には接続端子３ｂから水平方向に突出するケーブル８の下端面と同じ高さにある。そのため、接続端子３ｂから突出するケーブル８は、水平方向を維持した状態で、載置板４ａの載置面に載置される態様を実現することができる。
【００４２】
また、前記載置部材４が前記ノード３に対して固定位置にあるとき、前記載置部材４は、前後方向端部のうち前記ノード３に近い側が、前記ノード３の前記載置部材４に対向する対向面と所定の距離Ｂ隔てられるように形成されている。この距離Ｂは、ノード３の端子形成面３ａに形成された接続端子３ｂに、載置部材４の短手方向端部のうち前記ノード３に近い端部が接触しない距離であればよい。これにより、載置部材４の短手方向端部のうち前記ノード３に近い端部が接続端子３ｂに接触して、当該接続端子３ｂから突出しているケーブル８にストレスがかかり曲げなどの不都合が生じることを防いで、ケーブル８をストレス無く載置部材４の載置板４ａに載置することができる。
【００４３】
なお、本実施形態では、ケーブル接続可能な機器として、スパコン１０１を構成する情報通信装置を例に説明したが、これに限定されるものではない。また、ケーブルとして、光ケーブルについて説明したが、これに限定されるものでもない。
【００４４】
従って、本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４５】
本発明は、情報通信装置を上下方向に複数並べて配置することを前提とし、各装置を接続するケーブルに余剰が生じるキャビネット、例えば１９インチラック等に利用することができる。
【符号の説明】
【００４６】
１  土台
２  支柱
３  ノード（機器）
３ａ  端子形成面
３ｂ  接続端子
４  載置部材
４ａ  載置板
４ｂ  落下防止板（落下防止部材）
４ｃ  ガイド部材
４ｄ  ネジ穴
５  Ｒガイド（支持部材）
５ａ  ガイド溝
５ｂ  落下防止部材
５ｃ  ネジ穴
５ｄ  表面
６  天板
７  ネジ
８  ケーブル
１１  キャビネット
１０１  スパコン
【図１】
2014194651.tif 000003
【図２】
2014194651.tif 000004
【図３】
2014194651.tif 000005
【図４】
2014194651.tif 000006